【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
放送波もしくは通信網からの放送番組、または外部の再生装置からの記録番組を受信し映像および音声を出力する表示装置において、映像を表示する映像出力手段と、音声を出力する音声出力手段と、放送番組を受信して復号して映像信号と番組情報と音声信号を出力する放送受信手段と、前記再生装置との間に伝送媒体を介して接続されて映像信号と番組情報と音声信号を受信しコマンドを送受信するインターフェースと、前記インターフェースと前記放送受信手段から映像信号と番組情報を入力し前記映像出力手段が出力する映像を選択する映像選択手段と、前記インターフェースと前記放送受信手段から音声信号を入力し前記音声出力手段が出力する音声を選択する音声選択手段と、前記再生装置からの映像および音声を出力する際に、前記インターフェースに接続された外部の前記再生装置に対し再生コマンド、番組情報を要求するコマンドを送信し、前記再生装置から受信する映像信号と番組情報を選択し出力するように前記映像選択手段の選択を制御し、前記再生装置から受信する音声信号を選択し出力するように前記音声選択手段を制御する制御手段とを備えたことを特徴とする表示装置。
【請求項２】
前記番組情報とは、番組の関連情報またはデータ放送番組情報であることを特徴とする請求項１に記載の表示装置。
【請求項３】
ユーザーの操作を受け付ける操作手段を備え、
前記制御手段は、前記操作手段を用いたユーザーの操作が前記再生装置から受信中の記録番組の関連情報を表示する指示と解釈した場合、前記記録番組の関連情報を復号して記録番組の復号後の映像信号と合成した映像信号を送信することを前記再生装置に対して要求するコマンドを送信するように制御し、前記映像選択手段において前記インターフェースからの映像信号と前記記録番組の関連情報を前記映像出力手段が出力するよう制御し、前記音声選択手段において前記インターフェースからの音声信号を前記音声出力手段が出力するよう制御することを特徴とする請求項２記載の表示装置。
【請求項４】
ユーザーの操作を受け付ける操作手段を備え、
前記制御手段は、前記操作手段を用いたユーザーの操作が前記再生装置から受信中の記録番組に関連するデータ放送番組情報を表示する指示と解釈した場合、前記記録番組に関連するデータ放送番組情報を復号して記録番組の映像信号と合成した映像信号を送信することを要求するコマンドを送信するように制御し、前記映像選択手段において前記インターフェースからの映像信号と記録番組に関連するデータ放送番組情報を前記映像出力手段が出力するよう制御し、前記音声選択手段において前記インターフェースからの音声信号を前記音声出力手段が出力するよう制御することを特徴とする請求項２記載の表示装置。
【請求項５】
前記制御手段は、前記操作手段を用いたユーザーの操作が前記再生装置から受信中の記録番組に関連するデータ放送番組情報を表示終了する指示と解釈した場合、前記記録番組に関連するデータ放送番組情報の復号と合成出力を終了要求するコマンドを送信するように制御することを特徴とする請求項４記載の表示装置。
【請求項６】
ユーザーが放送番組を受信して取得した放送事業者別の固有情報を蓄積する不揮発性メモリを備え、前記制御手段は前記不揮発性メモリから放送事業者別の固有情報を読み出して前記インターフェース手段を用いて前記再生装置に送信するように制御することを特徴とする請求項４または５の何れかに記載の表示装置。
【請求項７】
前記制御手段は、前記操作手段を用いたユーザーの操作が前記再生装置から受信中の記録番組に関連するデータ放送番組情報を表示終了する指示と解釈した場合、前記再生装置から放送事業者別の固有情報のデータを受信し、受信した放送事業者別の固有情報を用いて前記不揮発性メモリに記憶されている放送事業者別の固有情報を更新するように制御することを特徴とする請求項６に記載の表示装置。
【請求項８】
前記インターフェースは、記録番組の映像信号および音声信号を非圧縮フォーマットで受信可能であり、番組情報を非圧縮フォーマットまたはトランスポートストリームフォーマットで受信可能であり、前記放送受信手段は、前記インターフェースが受信したトランスポートストリームフォーマットの番組情報を更に入力して分離可能であり、前記制御手段は前記インターフェースが受信する番組情報の伝送フォーマットの種別に基づいて前記放送受信手段の分離および番組情報の復号および前記映像選択手段の選択を制御することを特徴とする請求項２記載の表示装置。
【請求項９】
前記制御手段は受信するコマンドに格納されている記録番組の映像信号および音声信号と番組情報と伝送チャンネルとの関連付けを示した情報を基づいて前記放送受信手段の分離および番組情報の復号および前記映像選択手段の選択を制御することを特徴とする請求項８に記載の表示装置。
【請求項１０】
前記制御手段は前記再生装置から記録番組を受信する際に、前記関連付けを示した情報を送信要求するコマンドを送信することを特徴とする請求項９に記載の表示装置。
【請求項１１】
前記関連付けを示した情報は伝送媒体上においてインターフェースを識別する識別情報を用いた情報であることを特徴とする請求項９記載の表示装置。
【請求項１２】
前記関連付けを示した情報は伝送媒体上において論理的に確立される伝送チャンネルを識別するチャンネル識別情報を用いた情報であることを特徴とする請求項９記載の表示装置。
【請求項１３】
前記インターフェース手段は、記録番組の復号後の映像信号および音声信号を非圧縮フォーマットの信号で第一および第二の伝送チャンネルから受信し更に記録番組の番組情報をトランスポートストリームフォーマットで第三の伝送チャンネルから受信することを特徴とする請求項１２記載の表示装置。
【請求項１４】
記録媒体から読み出した記録番組を伝送媒体を介して外部の表示装置に送信する再生装置において、記録されている記録番組を映像信号と音声信号と番組情報とに分離する分離手段と、前記分離手段の出力する映像信号および音声信号を復号する復号手段と、前記番組情報を描画して映像信号にするＯＳＤコントローラと、前記復号手段と前記ＯＳＤコントローラから映像信号と番組情報を入力して出力する映像を選択／合成する映像選択手段と、前記映像選択手段の出力する映像信号と番組情報と前記復号手段の出力する音声信号を入力し前記表示装置との間に伝送媒体を介して接続された前記表示装置に対し映像信号と番組情報と音声信号を送信しコマンドを送受信するインターフェースと、前記表示装置から受信する再生コマンド、番組情報を要求するコマンドに応じて映像信号と番組情報と音声信号を送信するように、番組情報の復号制御、前記映像選択手段の選択／合成を制御する制御手段とを備えたことを特徴とする再生装置。
【請求項１５】
前記番組情報とは、記録番組の関連情報またはデータ放送番組情報であることを特徴とする請求項１４に記載の再生装置。
【請求項１６】
前記制御手段は、前記記録番組の関連情報を表示要求するコマンドを前記表示装置から受信した場合、前記記録番組の関連情報を復号して記録番組の復号後の映像信号と合成した映像信号と音声信号を送信するように、前記分離手段の出力する前記記録番組の関連情報の復号を行い、前記映像選択手段において前記ＯＳＤコントローラからの映像信号を選択／合成して送信するように制御することを特徴とする請求項１５記載の再生装置。
【請求項１７】
前記制御手段は、前記記録番組の関連するデータ放送番組情報を表示要求するコマンドを前記表示装置から受信した場合、前記記録番組の関連するデータ放送番組情報を復号して記録番組の復号後の映像信号と合成した映像信号と音声信号を送信するように、前記分離手段の出力する前記データ放送番組情報の復号を行い、前記映像選択手段において前記ＯＳＤコントローラからの映像信号を送信するように選択／合成して制御することを特徴とする請求項１５記載の再生装置。
【請求項１８】
前記制御手段は、前記記録番組の関連するデータ放送番組情報の復号と合成表示終了要求するコマンドを前記表示装置から受信した場合、記録番組の復号後の映像信号と音声信号を送信するように、前記データ放送番組情報の復号を行わず、前記映像選択手段において前記復号手段からの映像信号を選択して送信するように制御することを特徴とする請求項１７記載の再生装置。
【請求項１９】
前記制御手段は、前記表示装置の不揮発性メモリに記憶されている放送事業者別の固有情報を前記表示装置から受信した場合、受信した前記表示装置の不揮発性メモリに記憶されている放送事業者別の固有情報を適用してデータ放送番組情報を復号するように制御することを特徴とする請求項１７または１８の何れかに記載の再生装置。
【請求項２０】
受信した前記表示装置の不揮発性メモリに記憶されている放送事業者別の固有情報を用いて前記不揮発性メモリに記憶されている放送事業者別の固有情報を更新することを特徴とする請求項１９記載の再生装置。
【請求項２１】
前記制御手段は、前記記録番組の関連するデータ放送番組情報の復号と合成表示終了要求するコマンドを前記表示装置から受信した場合、前記不揮発性メモリに記憶されている放送事業者別の固有情報を、前記インターフェースを用いて前記表示装置に送信するように制御することを特徴とする請求項２０記載の再生装置。
【請求項２２】
前記インターフェースは、映像信号および音声信号を非圧縮フォーマットで送信可能であり、更に前記分離手段の出力する分離された番組情報をトランスストリームフォーマットで入力し、番組情報を非圧縮フォーマットまたはトランスポートストリームフォーマットで送信可能であり、番組情報の伝送フォーマットの種別に基づいて、前記制御手段の番組情報の復号および前記映像選択手段の選択／合成を制御することを特徴とする請求項１４または１５の何れかに記載の再生装置。
【請求項２３】
前記制御手段は、前記記録番組に関わる映像信号および音声信号と番組情報と伝送チャンネルとの関連付けを示すコマンドを前記表示装置に送信するように制御することを特徴とする請求項２２に記載の再生装置。
【請求項２４】
前記制御手段は、前記関連付けを示すコマンドを要求するコマンドを前記表示装置から受信した場合、前記関連付けを示すコマンドを返信するように制御することを特徴とする請求項２３に記載の再生装置。
【請求項２５】
前記関連付けを示す情報は伝送媒体上においてインターフェースを識別する識別情報を用いた情報であることを特徴とする請求項２３記載の再生装置。
【請求項２６】
前記関連付けを示す情報は伝送媒体上において論理的に確立される伝送チャンネルを識別するチャンネル識別情報を用いた情報であることを特徴とする請求項２３記載の再生装置。
【請求項２７】
前記インターフェースはさらに記録番組の復号後の映像信号および音声信号を非圧縮フォーマットの信号で第一および第二の伝送チャンネルで送信し更に記録番組の関連情報または関連するデータ放送番組情報をトランスポートストリームフォーマットで第三の伝送チャンネルで送信することを特徴とする請求項２６記載の再生装置。
【手続補正２】
【補正対象書類名】明細書
【補正対象項目名】００１５
【補正方法】変更
【補正の内容】
【００１５】
本発明の表示装置は、放送波もしくは通信網からの放送番組、または外部の再生装置からの記録番組を受信し映像および音声を出力する表示装置において、映像を表示する映像出力手段と、音声を出力する音声出力手段と、放送番組を受信して復号して映像信号と番組情報と音声信号を出力する放送受信手段と、前記再生装置との間に伝送媒体を介して接続されて映像信号と番組情報と音声信号を受信しコマンドを送受信するインターフェースと、前記インターフェースと前記放送受信手段から映像信号と番組情報を入力し前記映像出力手段が出力する映像を選択する映像選択手段と、前記インターフェースと前記放送受信手段から音声信号を入力し前記音声出力手段が出力する音声を選択する音声選択手段と、前記再生装置からの映像および音声を出力する際に、前記インターフェースに接続された外部の前記再生装置に対し再生コマンド、番組情報を要求するコマンドを送信し、前記再生装置から受信する映像信号と番組情報を選択し出力するように前記映像選択手段の選択を制御し、前記再生装置から受信する音声信号を選択し出力するように前記音声選択手段を制御する制御手段とを備えることを特徴とする。
【手続補正３】
【補正対象書類名】明細書
【補正対象項目名】００１６
【補正方法】変更
【補正の内容】
【００１６】
また、本発明の再生装置は、記録媒体から読み出した記録番組を伝送媒体を介して外部の表示装置に送信する再生装置において、記録されている記録番組を映像信号と音声信号と番組情報とに分離する分離手段と、前記分離手段の出力する映像信号および音声信号を復号する復号手段と、前記番組情報を描画して映像信号にするＯＳＤコントローラと、前記復号手段と前記ＯＳＤコントローラから映像信号と番組情報を入力して出力する映像を選択／合成する映像選択手段と、前記映像選択手段の出力する映像信号と番組情報と前記復号手段の出力する音声信号を入力し前記表示装置との間に伝送媒体を介して接続された前記表示装置に対し映像信号と番組情報と音声信号を送信しコマンドを送受信するインターフェースと、前記表示装置から受信する再生コマンド、番組情報を要求するコマンドに応じて映像信号と番組情報と音声信号を送信するように、番組情報の復号制御、前記映像選択手段の選択／合成を制御する制御手段とを備えることを特徴とする。